(57)【特許請求の範囲】
【請求項１】
被写体光を導くためのレンズ群と、
前記レンズ群を内包する第１の鏡枠と、
前記第１の鏡枠を前記レンズ群の光軸方向に移動可能に保持した第２の鏡枠と、
前記レンズ群により導かれた被写体光を光電変換する撮像素子と、
前記第２の鏡枠を前記撮像素子方向に付勢する付勢部材と、
前記第２の鏡枠を前記付勢部材に抗して被写体方向に移動させるための、紐状に形成され前記第２の鏡枠と略中央部で当接する形状記憶合金と、
前記形状記憶合金の両端部を固定する地板と、
前記地板に対し移動可能に組み付けられ、前記第２の鏡枠の一部と当接可能となされた当接部材と、を有する撮像装置の調整方法であって、
前記第２の鏡枠を前記付勢部材の付勢力と前記形状記憶合金の無通電時の張力とが釣り合う位置で停止させる工程と、
前記当接部材を移動させて前記第２の鏡枠の一部と当接させ、該当接した位置から更に所定量だけ前記第２の鏡枠を被写体方向に移動させる工程と、
前記第２の鏡枠に対して、前記第１の鏡枠を前記レンズ群の光軸方向に移動させ、ピント調整をおこなう工程と、を有することを特徴とする撮像装置の調整方法。
【請求項２】
前記当接部材を移動させて前記第２の鏡枠の一部と当接させ、該当接した位置から更に所定量だけ前記第２の鏡枠を被写体方向に移動させる工程の前に、
前記形状記憶合金に通電し、その後通電を断つ工程を有することを特徴とする請求項１に記載の撮像装置の調整方法。
【発明の詳細な説明】
【技術分野】
【０００１】
本発明は、紐状に形成された形状記憶合金を用いてレンズ群を光軸方向に移動させるよう構成した撮像装置の調整方法に関するものである。
【背景技術】
【０００２】
従来より、カメラでは撮影レンズのフォーカシングやズーミングに際し、モータ及びモータに連設されたギア列により鏡胴を駆動してレンズ群を移動させるのが一般的である。一方、これらレンズ群の移動に関し、モータ及びモータに連設されたギア列の代わりに、形状記憶合金を用いてレンズ群を移動させ、これによりカメラの省スペース化を図るものが提案されている。【０００３】
この形状記憶合金を用いた駆動装置として、紐状の形状記憶合金と、被駆動体の位置を検知する検知手段を備え、検知手段の情報に基づいて形状記憶合金の駆動を制御するものや、紐状の形状記憶合金を長手方向に分割し、個々に制御することで被駆動体の位置制御を行うものが開示されている（例えば、特許文献１参照）。【０００４】
また、紐状の形状記憶合金をくの字型にして使用し、略中央部で被駆動体と当接し、両端を固定した駆動機構が開示されている（例えば、特許文献２参照）。【０００５】
近年、小型で薄型の撮像装置が携帯電話機やＰＤＡ等の小型、薄型の電子機器に搭載されるようになっており、これにより遠隔地へ音声情報だけでなく画像情報も相互に伝送することが可能となっている。【０００６】
これら携帯端末の普及の増大に伴い、携帯端末に内蔵される撮像装置も、より高画質の画像を得るために、レンズ群を移動させ、マクロ機能のみならずＡＦ機能を有するものや、光学ズームを有したものが搭載されるようになりつつある。【０００７】
しかし、携帯端末に内蔵される撮像装置は、例えば１ｃｍ3以下というような、非常に小型であることが要求されるものである。【０００８】
この様な要求に対し、上記特許文献１に記載された、被駆動体の位置検知手段を有する駆動装置は被駆動体の位置制御が正確になる利点を有するが、携帯端末に内蔵する撮像装置に適用すると検知手段のスペースを必要とし撮像装置が大型化してしまう欠点がある。また、長手方向に形状記憶合金を分割し、個々の形状記憶合金を制御する駆動装置は、制御のための回路構成が複雑となると共に、形状記憶合金を直線的に配置しているため小さくまとめることができないという問題がある。【０００９】
更に、上記特許文献２に記載された、紐状の形状記憶合金を、くの字型にして使用するものは、双眼鏡等の大きい機器に内蔵するにはそれほど問題とならないが、両端の固定部が被駆動体の両側に大きく張り出すことになり、携帯端末に内蔵しようと小型の撮像装置に適用するには、何らかの工夫を必要とするものである。また、上記特許文献２に記載された、紐状の形状記憶合金を、くの字型にして使用するものも位置検知手段を有しており、検知手段無しに正確な位置制御を行うことは困難であり、同様に大型化してしまう欠点がある。【００１０】
更に、上述のような小型の携帯端末に内蔵される撮像装置に、形状記憶合金を用いてレンズ群を移動させようとした場合、レンズ群の位置検知のための検知手段を内蔵するスペースは無く、また、組み込まれた形状記憶合金の長さに個体差があると、一律の駆動方法では、収縮量に差を生じレンズ群の位置に個体差が発生する問題がある。
【特許文献１】特開平１０−３０７６２８号公報
【特許文献２】特開２００２−９９０１９号公報
【発明の開示】
【００１２】
本発明は、形状記憶合金を用いてレンズ群を移動させるに際し、検知手段を要せず、組み込まれた形状記憶合金の長さに個体差があっても、一律の駆動方法で所定の被写体距離に焦点合わせの可能な小型薄型の、携帯端末に内蔵するに好適な撮像装置の調整方法を得ることを目的とするものである。
【００１３】
上記の目的を達成するため、本発明は以下の方法を含む。
Ａ）被写体光を導くためのレンズ群と、前記レンズ群を内包する第１の鏡枠と、前記第１の鏡枠を前記レンズ群の光軸方向に移動可能に保持した第２の鏡枠と、前記レンズ群により導かれた被写体光を光電変換する撮像素子と、前記第２の鏡枠を前記撮像素子方向に付勢する付勢部材と、前記第２の鏡枠を前記付勢部材に抗して被写体方向に移動させるための、紐状に形成され前記第２の鏡枠と略中央部で当接する形状記憶合金と、前記形状記憶合金の両端部を固定する地板と、前記地板に対し移動可能に組み付けられ、前記第２の鏡枠の一部と当接可能となされた当接部材と、を有する撮像装置の調整方法であって、前記第２の鏡枠を前記付勢部材の付勢力と前記形状記憶合金の無通電時の張力とが釣り合う位置で停止させる工程と、前記当接部材を移動させて前記第２の鏡枠の一部と当接させ、該当接した位置から更に所定量だけ前記第２の鏡枠を被写体方向に移動させる工程と、前記第２の鏡枠に対して、前記第１の鏡枠を前記レンズ群の光軸方向に移動させ、ピント調整をおこなう工程と、を有することを特徴とする撮像装置の調整方法。
【図面の簡単な説明】
【００１４】
【図１】実施の形態に係る撮像装置を備えた携帯端末の一例である携帯電話機の外観図である。
【図２】実施の形態に係る撮像装置のユニット状態のときの斜視図である。
【図３】撮像装置の内部構造を示す断面図である。
【図４】撮像装置内部のレンズ鏡胴を示す斜視図である。
【図５】撮像装置内部のレンズ鏡胴の各部品の配置を示した正面図である。
【図６】紐状の形状記憶合金の張られている各部の関係を示した模式図である。
【図７】紐状の形状記憶合金が組み付けられた後の、各部の調整順序の一例とそのときの関連する各部の状態を示した模式図である。
【図８】紐状の形状記憶合金が組み付けられた後の、各部の調整順序のその他の例とそのときの関連する各部の状態を示した模式図である。
【発明を実施するための最良の形態】
【００１５】
以下、実施の形態により本発明を詳しく説明するが、本発明はこれに限定されるものではない。【００１６】
図１は、実施の形態に係る撮像装置を備えた携帯端末の一例である携帯電話機Ｔの外観図である。【００１７】
同図に示す携帯電話機Ｔは、表示画面Ｄ１及びＤ２を備えたケースとしての上筐体７１と、操作ボタンＰを備えた下筐体７２とがヒンジ７３を介して連結されている。撮像装置１００は、上筐体７１内の表示画面Ｄ２の下方に内蔵されており、撮像装置１００が上筐体７１の外表面側から光を取り込めるよう配置されている。【００１８】
なお、この撮像装置１００の位置は上筐体７１内の表示画面Ｄ２の上方や側面に配置してもよい。また携帯電話機は折りたたみ式に限るものではないのは、勿論である。【００１９】
図２は、実施の形態に係る撮像装置のユニット状態のときの斜視図である。【００２０】
同図に示すように、実施の形態に係る撮像装置の外表面は、レンズ群１１が被写体光を取り込めるよう開口部を有した箱状の蓋部材１２と、ネジ１４により蓋部材１２が固定されると共に内部に配置される各部材を保持している地板１３と、地板１３の下面に固着され、内部に撮像素子が実装されたプリント基板３１と、このプリント基板３１に接続されたフレキシブルプリント基板３２で構成されている。また、後述の形状記憶合金へ電流を供給するためのフレキシブルプリント基板３２ｆが配置されている。このフレキシブルプリント基板３２ｆは、フレキシブルプリント基板３２と一体でも、別体で構成してもよい。【００２１】
なお、フレキシブルプリント基板３２には、携帯端末の他の基板と接続するための接点部３２ｔが形成され、裏面には補強板３３が糊付けされている。なお、Ｏはレンズ群１１の光軸である。また接点部３２ｔは電源、コントロール信号、画像信号出力、形状記憶合金への入力端子等で２０ピン以上となるが、模式的に示している。【００２２】
次いで、図３、図４及び図５を用いて、実施の形態に係る撮像装置の内部構造について、説明する。なお、以下の図においては、同機能部材には同符号を付与して説明する。【００２３】
図３は、撮像装置の内部構造を示す断面図である。同図は、図２に示すＦ−Ｆ線で切断し、撮像装置内部のレンズ鏡胴を示している。【００２４】
図４は、撮像装置内部のレンズ鏡胴を示す斜視図である。同図は、図２に示す撮像装置１００から蓋部材１２、プリント基板３１及びフレキシブルプリント基板３２、３２ｆを外した状態を示している。【００２５】
図５は、撮像装置内部のレンズ鏡胴の各部品の配置を示した正面図である。同図は、図３に示すレンズ鏡胴を光軸Ｏ方向の被写体側から見た図である。【００２６】
撮像装置１００内部のレンズ鏡胴は、単玉もしくは複数枚のレンズで構成されたレンズ群１１を内包する第１の鏡枠１７（以下、鏡枠１７とも称す）と、この鏡枠１７の外側で鏡枠１７を保持する第２の鏡枠１８（以下、鏡枠１８とも称す）が配置されている。即ちレンズ群１１は、鏡枠１７と鏡枠１８により、保持されていることになる。【００２７】
鏡枠１７と鏡枠１８は、ネジ部１７ｎ及び１８ｎで螺合されており、鏡枠１８に対し鏡枠１７を回転させることで、鏡枠１７を鏡枠１８に対し光軸Ｏ方向に移動させることができるようになっている。なお、鏡枠１７と鏡枠１８は、ヘリコイドやその他の構成で光軸Ｏ方向に相対的に移動が可能になっていてもよい。【００２８】
地板１３は光軸Ｏ方向から見て略四辺形に形成され、光軸Ｏを挟んで略対角の位置に、光軸Ｏと略平行にガイド軸１５が地板１３に植設され、ガイド軸１６が一体に形成されている。なお、ガイド軸１５も地板１３に一体で形成してもよいし、ガイド軸１６を植設してもよい。【００２９】
鏡枠１８には、ガイド軸１５が嵌合して貫通する筒状部１８ｐが一体的に形成されると共に、ガイド軸１６に係合するＵ字状の係合部１８ｕが形成されている。これにより、鏡枠１８はガイド軸１５、１６に沿って光軸方向に移動可能であり、この鏡枠１８と共に鏡枠１７及びレンズ群１１も光軸方向に移動可能となっている。また、この筒状部１８ｐは、付勢部材である圧縮コイルバネ１９によりガイド軸１５の軸方向へ付勢されている。本例では、レンズ群１１の後方に配置される撮像素子３４側に付勢されている。【００３０】
また、鏡枠１８の側面には、突起部１８ｔが一体的に形成されている。一方、地板１３にはボス２０が形成され、ボス２０の図示しない穴にネジ２１が組み付けられている。突起部１８ｔは、このネジ２１の頭部に当接している。即ち、鏡枠１８は付勢部材である圧縮コイルバネ１９により撮像素子側へ付勢されているが、この地板１３に配置された当接部材であるネジ２１の頭部に突起部１８ｔが当接することにより、鏡枠１８の撮像素子３４側の位置が決められている。【００３１】
更に、地板１３には、一体的に２つの柱状部２２が形成されており、２つの柱状部２２はレンズ群１１の光軸Ｏと筒状部１８ｐの中心を結ぶ線を挟む位置に形成され、この２つの柱状部２２の上部で、紐状の形状記憶合金２３の両端が固定され、紐状の形状記憶合金２３はレンズ群１１の光軸Ｏと筒状部１８ｐの間で、鏡枠１８の撮像素子３４側の下部に当接して張られている。【００３２】
このように、正面から見て略四辺形の地板１３の内側で、ガイド軸１５、１６を光軸Ｏを挟み略対角位置に配置し、紐状の形状記憶合金２３の両端の固定を、レンズ群の光軸Ｏと筒状部１８ｐの中心を結ぶ線を挟む位置に設けられた柱状部２２の上部で固定することにより、他の配置の場合に比べて正面面積を最も小さくすることができる。【００３３】
図６は、紐状の形状記憶合金２３の張られている各部の関係を示した模式図である。【００３４】
同図に示すように、紐状の形状記憶合金２３は、地板１３に一体的に形成された２つの柱状部２２の上部に、その両端が固定されている。この固定部の双方から対称的に形状記憶合金２３は、柱状部２２の一部で角度を変えられた後、略中央部で鏡枠１８の下部に当接するよう張られている。【００３５】
また、形状記憶合金２３の両端部は、板部材２３ｋで挟み込まれて切断されており、この板部材２３ｋが柱状部２２の上部に固定されている。【００３６】
このように張られた、形状記憶合金２３に、図２で示したフレキシブルプリント基板３２ｆから板部材２３ｋを経由して形状記憶合金２３に所定の電流を供給することにより、抵抗体である形状記憶合金２３は発熱して温度が上昇し、その全長を短縮する方向に変化、即ち収縮する。これにより鏡枠１８は、付勢部材である圧縮コイルバネ１９に抗して、ガイド軸１５及び１６に沿って光軸Ｏ方向に移動させられる。即ち、鏡枠１８と鏡枠１７により保持されているレンズ群１１は、光軸Ｏに沿って被写体方向に移動し、より近距離に焦点を合わせることができるようになる。【００３７】
なお、形状記憶合金２３に供給する電流値は、単一の値でもよいし、複数の値としてレンズ群１１の光軸Ｏ方向の位置を選択して駆動するように構成してもよい。【００３８】
以上が、撮像装置１００の内部の実施の形態に係るレンズ鏡胴の構造である。【００３９】
以上説明したように、レンズ群を光軸方向に移動させるに際し、レンズ群の光軸に略平行に一対のガイド軸を形成し、このガイド軸の一方が貫通する筒状部を鏡枠に一体的に形成して、紐状の形状記憶合金の両端をレンズ群の光軸と筒状部の中心を結ぶ線を挟む位置で固定し、その略中央部で鏡枠の一部に当接するよう構成することにより、内部空間を有効に利用でき、必要とする体積、正面面積を最少とでき、小型薄型の撮像装置のレンズ鏡胴を得ることが可能となる。【００４０】
また、レンズ群の光軸と筒状部の中心との間で、形状記憶合金を鏡枠に当接させることで、鏡枠の光軸方向への移動をより円滑に作動させることができるようになる。【００４２】
次に、本実施形態のように第１の鏡枠と第２の鏡枠の２つに分割された鏡枠とする場合の、紐状の形状記憶合金２３が組み付けられた後の、撮像装置１００の各部の調整方法について説明する。これは、組み込まれた紐状の形状記憶合金２３の長さに誤差があっても、一律の駆動方法で形状記憶合金２３の収縮時のレンズ群１１の位置を、個体差無く安定駆動させるためのものである。【００４３】
図７は、紐状の形状記憶合金２３が組み付けられた後の、各部の調整順序の一例とそのときの関連する各部の状態を示した模式図である。同図は、当接部材であるネジ２１と第２の鏡枠１８に形成された突起部１８ｔの関係及び、形状記憶合金２３の第２の鏡枠１８との関係を抜き出して示した図である。なお、以下の調整は図１に示す撮像装置１００から蓋部材１２を取り外し、図４のように撮像装置１００の内部が露出された状態で、撮像装置１００を治具に取り付けて行われるものである。【００４４】
まず、同図（ａ）に示すように、当接部材であるネジ２１を上方へ繰り出した状態とした後、形状記憶合金２３の両端を柱状部２２に固定し、第２の鏡枠１８及び付勢部材１９、ガイド軸１５（図４参照）が組み込まれる。このときネジ２１は上方に位置するため、ネジ２１と突起部１８ｔが図示の如く当接して、形状記憶合金２３と鏡枠１８は当接せず、形状記憶合金２３は図示の如くたるんだ状態となる。【００４５】
次いで、同図（ｂ）に示すように、ネジ２１と突起部１８ｔとが離間するまで、ネジ２１がねじ込まれる。これにより、第２の鏡枠１８は付勢部材１９により撮像素子方向へ移動し、形状記憶合金２３と鏡枠１８が当接し、付勢部材１９の付勢力と形状記憶合金２３とが釣り合う位置で停止する。【００４６】
一方、図示していないが、治具には第２の鏡枠１８の位置を検知する検知装置が設けられている。この検知装置は、非接触型のものが好ましく、例えばレーザビームを第２の鏡枠１８の被写体側の面に照射し、反射光を受光して、検知装置と被測定物（この場合は、鏡枠１８の被写体側の面）との距離を三角測量の原理で測定するようなものが適用できる。この検知装置の出力が変化しなくなったところが第２の鏡枠１８の停止位置である。【００４７】
次いで、同図（ｃ）に示すように、ネジ２１を繰り出し、ネジ２１の頭部と突起部１８ｔが当接した位置（破線で示す位置）から、所定量だけ突起部１８ｔを被写体方向に付勢部材１９に抗して戻す移動動作を行う。この動作は、例えば上述の検知装置の変化しなくなった出力値から所定量だけ被写体方向に変化したところで、ネジ２１の繰り出しを停止することで、戻し量を個体差なく実行することができる。これにより、形状記憶合金２３は、図示の如く、所望の張力が掛かって第２の鏡枠１８と当接した状態とすることができる。この、戻す量は予め実験により決められた値が用いられる。【００４８】
ここまでの調整により、組み込まれた紐状の形状記憶合金２３の長さに個体差があっても、形状記憶合金２３に掛かる張力をほぼ均一化することができる。【００４９】
更に、この後、第１の鏡枠１７を第２の鏡枠１８に対し回転させ、ネジ部１７ｎ及び１８ｎにより、第１の鏡枠１７、即ちレンズ群１１を光軸Ｏ方向に移動させ、図示しない撮像素子の撮像面に対してピント調整を行った後、第１の鏡枠１７を第２の鏡枠１８に接着等で固定する。このピント調整は、例えば無限遠もしくは過焦点距離に対し行われることが好ましい。このピント調整は、コリメータを用いて行ってもよいし、レンズ群を移動させる度に撮像素子出力を評価してピント位置を求めてもよい。【００５０】
以上が、撮像装置１００の各部の調整順序の一例である。【００５１】
このようにすることで、組み込まれた形状記憶合金２３の長さの誤差を吸収すると共に、形状記憶合金２３に掛かる張力を略均一な状態とでき、形状記憶合金２３に通電した際に安定した収縮量が得られ、一律の駆動方法でレンズ群１１を所望の位置まで移動させることが可能になり、所定の被写体距離に焦点合わせの可能な小型薄型の撮像装置の製造方法を得ることができる。【００５２】
図８は、紐状の形状記憶合金２３が組み付けられた後の、各部の調整順序のその他の例とそのときの関連する各部の状態を示した模式図である。同図も図７と同様に、当接部材であるネジ２１と第２の鏡枠１８に形成された突起部１８ｔの関係及び、形状記憶合金２３の第２の鏡枠１８との関係を抜き出して示した図である。なお、以下の調整も同様に図１に示す撮像装置１００から蓋部材１２を取り外し、図４のように撮像装置１００の内部が露出された状態で、治具に取り付けて行われるものである。【００５３】
まず、同図（ａ）に示すように、当接部材であるネジ２１を下方へねじ込んだ後、形状記憶合金２３の両端を柱状部２２に固定し、第２の鏡枠１８及び付勢部材１９、ガイド軸１５（図４参照）が組み込まれる。このときネジ２１は下方に位置するため、図示の如く、形状記憶合金２３と鏡枠１８は当接した状態となる。【００５４】
次いで、形状記憶合金２３に通電すると、同図（ｂ）に示すように、形状記憶合金２３は収縮し、第２の鏡枠１８は付勢部材１９に抗して、破線で示す被写体方向に移動させられる。なお、この通電は、使用時の最大電流値と同程度の電流値が用いられる。【００５５】
この後、形状記憶合金２３への通電を断つと、第２の鏡枠１８は撮像素子方向へ移動しつつ、付勢部材１９の付勢力と形状記憶合金２３とが釣り合う、実線で示す位置で停止する。【００５６】
一方、図示していないが、治具には鏡枠１８の位置を検知する検知装置が設けられている。この検知装置は、非接触型のものが好ましく、例えばレーザビームを鏡枠１８の被写体側の面に照射し、反射光を受光して、検知装置と被測定物（この場合は、鏡枠１８の被写体側の面）との距離を三角測量の原理で測定するようなものが適用できる。この検知装置の出力が変化しなくなったところが鏡枠１８の停止位置である。【００５７】
次いで、同図（ｃ）に示すように、ネジ２１を繰り出し、ネジ２１の頭部と突起部１８ｔが当接した位置（破線で示す位置）から、所定量だけ突起部１８ｔを被写体方向に付勢部材１９に抗して戻す移動動作を行う。この動作は、例えば上述の検知装置の変化しなくなった出力値から所定量だけ被写体方向に変化したところで、ネジ２１の繰り出しを停止することで、戻し量を個体差なく実行することができる。これにより、形状記憶合金２３は、図示の如く、所望の張力が掛かって第２の鏡枠１８と当接した状態とすることができる。この、戻す量は予め実験により決められた値が用いられる。【００５８】
このように、当接部材であるネジ２１と第２の鏡枠の一部である突起部１８ｔが当接した位置から、所定量だけ付勢部材１９に抗して移動させる工程の前に、形状記憶合金２３に通電して収縮させ、第２の鏡枠１８を付勢部材１９に抗して光軸方向に移動させる工程を備える方法でも、組み込まれた紐状の形状記憶合金２３の長さに個体差があっても、形状記憶合金２３に掛かる張力をほぼ均一化することができる。【００５９】
更に、この後、第１の鏡枠１７を第２の鏡枠１８に対し回転させ、ネジ部１７ｎ及び１８ｎにより、第１の鏡枠１７、即ちレンズ群１１を光軸Ｏ方向に移動させ、図示しない撮像素子の撮像面に対してピント調整を行った後、第１の鏡枠１７を第２の鏡枠１８に接着等で固定する。このピント調整は、例えば無限遠もしくは過焦点距離に対し行われることが好ましい。このピント調整は、コリメータを用いて行ってもよいし、レンズ群を移動させる度に撮像素子出力を評価してピント位置を求めてもよい。【００６０】
以上が、撮像装置１００の各部の調整順序のその他の例である。【００６１】
このようにすることでも、組み込まれた形状記憶合金２３の長さの誤差を吸収すると共に、形状記憶合金２３に掛かる張力を略均一な状態とでき、形状記憶合金２３に通電した際に安定した収縮量が得られ、一律の駆動方法でレンズ群１１を所望の位置まで移動させることが可能になり、所定の被写体距離に焦点合わせの可能な小型薄型の撮像装置の製造方法を得ることができる。【００６２】
以上、説明したように、上記の図７又は、図８で説明した製造方法とすることにより、撮像装置内に検知手段を設けることなく、撮像装置に組み込まれた形状記憶合金への通電に際し、個別対応の必要のない一律の駆動方法で所望の位置にレンズ群を移動させることが可能となり、携帯端末に内蔵するに好適な小型薄型の撮像装置のレンズ鏡胴及びこのレンズ鏡胴を備えた撮像装置を得ることが可能となる。【００６３】
本発明は以下の構成および方法を含む。【００７２】
１）被写体光を導くためのレンズ群と、前記レンズ群を内包する第１の鏡枠と、前記第１の鏡枠を前記レンズ群の光軸方向に移動可能に保持した第２の鏡枠と、前記レンズ群により導かれた被写体光を光電変換する撮像素子と、前記第２の鏡枠を前記撮像素子方向に付勢する付勢部材と、前記第２の鏡枠を前記付勢部材に抗して被写体方向に移動させるための、紐状に形成され前記第２の鏡枠と略中央部で当接する形状記憶合金と、前記形状記憶合金の両端部を固定する地板と、前記地板に対し移動可能に組み付けられ、前記第２の鏡枠の一部と当接可能となされた当接部材と、を有する撮像装置の調整方法であって、前記第２の鏡枠を前記付勢部材の付勢力と前記形状記憶合金の無通電時の張力とが釣り合う位置で停止させる工程と、前記当接部材を移動させて前記第２の鏡枠の一部と当接させ、該当接した位置から更に所定量だけ前記第２の鏡枠を被写体方向に移動させる工程と、前記第２の鏡枠に対して、前記第１の鏡枠を前記レンズ群の光軸方向に移動させ、ピント調整をおこなう工程と、を有することを特徴とする撮像装置の調整方法。
【００７３】
２）前記当接部材を移動させて前記第２の鏡枠の一部と当接させ、該当接した位置から更に所定量だけ前記第２の鏡枠を被写体方向に移動させる工程の前に、
前記形状記憶合金に通電し、その後通電を断つ工程を有する１）の撮像装置の調整方法。
【００７９】
上記１）又は２）によれば、形状記憶合金を用いてレンズ群を移動させるに際し、検知手段を要せず、組み込まれた形状記憶合金の長さに個体差があっても、一律の駆動方法で所定の被写体距離に焦点合わせの可能な小型薄型の撮像装置の調整方法を得ることができる。
【図１】
0004761159.tif 000002
【図２】
0004761159.tif 000003
【図３】
0004761159.tif 000004
【図４】
0004761159.tif 000005
【図５】
0004761159.tif 000006
【図６】
0004761159.tif 000007
【図７】
0004761159.tif 000008
【図８】
0004761159.tif 000009